(57)【要約】      （修正有）【課題】装飾性を有して美観を何ら損なうことなく、横方向に移動する機構を設け、使用者の好みやＴＰＯに応じた装飾を表面に出して楽しく使用できる装飾変化に富んだリング状装身具を提供する。【解決手段】内輪体１は、円周に分割した略螺旋状の円周方向に沿って一端に第１直線部２ｅ、３ｅと、中間に斜向い部２ｆ、３ｆと、他端に第２直線部２ｇ、３ｇとを有する左溝部と右溝部を平行に設けて形成し、外輪体４は、円周方向を左右に分割した同じ内径部を有する第１外輪体５と第２外輪体６とからなり、該内径部に前記内輪体の溝部に嵌り込む突起部７を設けて形成してなるものである。【選択図】図４
0003116297.tif 000002
【実用新案登録請求の範囲】
【請求項１】
内輪体に外輪体を組み込んで構成したリング状装身具であり、内輪体は、円周に分割した略螺旋状の円周方向に沿って一端に第１直線部と、中間に斜向い部と、他端に第２直線部とを有する左溝部と右溝部を平行に設けて形成し、
外輪体は、円周方向を左右に分割した同じ内径部を有する第１外輪体と第２外輪体とからなり、該内径部に前記内輪体の溝部に嵌り込む突起部を設けて形成し、
前記内輪体の左溝部の一端に設けた第１直線部に前記第１外輪体に設けた突起部を、右溝部の他端に設けた第２直線部に前記第２外輪体に設けた突起部を位置させることにより内輪体外周上にて、第１外輪体と第２外輪体とが接した状態となり、
そして前記双方の外輪体を互いに円周方向に逆回転させて前記突起部が前記内輪体に設けた斜向い部を沿うように横方向に移動し、左溝部の他端に設けた第２直線部に第１外輪体の突起部を、右溝部の一端に設けた第１直線部に第２外輪体の突起部を位置させることにより内輪体外周上にて第１外輪体と第２外輪体とが間隔を有することを特徴としたリング状装身具。
【請求項２】
前記内輪体の表面円周上または左溝部の一端に設けた第１直線部と、右溝部の他端に設けた第２直線部の間寸法範囲内にて内輪体の表面円周上に、装飾及び文字またはそのいずれかを施して形成したことを特徴とする請求項１に記載のリング状装身具。
【請求項３】
前記外輪体は、第１外輪体と第２外輪体の双方またはいずれかの表面円周上に装飾及び文字またはそのいずれかを施して形成したことを特徴とした請求項２に記載のリング状装身具。
【請求項４】
前記内輪体と前記外輪体の地金色は、同色又は異なる色としたことを特徴とする請求項１乃至３のいずれかに記載のリング状装身具。
【考案の詳細な説明】
【技術分野】
【０００１】
本考案は、内輪体と外輪体から構成され、円周方向に２分割した外輪体を、円周方向と直交する中心軸方向を左右として螺旋回転にて横方向に移動する機構の指輪及び腕輪に関するものである
【背景技術】
【０００２】
従来、リング状装身具である指輪や腕輪の構成として、リング状の腕部とデザイン部を有してデザイン部に模様を施したもの及び宝石を石留めした指輪があり、またリング状のみにてカット模様等を施したもの及び宝石を石留めしたシンプル形状の指輪及び腕輪 、シンプル形状のリングを複数本組み合わせた連リングの指輪 及び腕輪があり、上記リング状装身具の構成は多く用いられている。（例えば非特許文献１参照。）。
【０００３】
しかしながら、上記のいずれの指輪及び腕輪は固定されたデザイン構成で形成されていのものが多く、ＴＰＯに応じた装飾変化に乏しいものであった。
その中で、外周に突起が設けられている内側リング部材と、外側リング部材とから構成される。内側リング部材の外周部は外側リング部材の凹溝内に収容され、内側リング部材上の突起１は外側リング部材の凹溝に当接する。内側リング部材と外側リング部材とは突起が凹溝内で摺動することで回転するリング状装飾品がある（例えば特許文献１参照。）。
【０００４】
また、長さ方向に沿って溝を設けたほぼ堅固なベース部材と、溝内に保持した複数個のビーズとを具え、溝の形状を各ビーズの形状に適合させ、ビーズの横方向の移動を制限しかつビーズが溝に沿って摺動できるようにした宝飾品ピースがある（例えば特許文献２参照。）。
【０００５】
しかし、前記特許文献１及び２の外側リング部材及びビーズは、いずれも円周方向のみ回転する機構にて装飾変化を得る機構としたものであり、カット模様等を施したもの及び宝石を石留めした一般的なシンプル形状の指輪が装着時に回転する動きに酷似しての装飾変化である。
【０００６】
【非特許文献１】砂川一郎，「ジュエリーコーディネーター検定３級」，２００２年９月，ｐ.１８２−１９３，ｐ.２０８−２１０
【特許文献１】特開２００５−０７４８５９号公報
【特許文献２】特表２００１−５１３３４１号公報
【考案の開示】
【考案が解決しようとする課題】
【０００７】
前記事項を鑑み解決しようとする問題点は、装飾性を有して美観を何ら損なうことなく、横方向に移動する機構を設けて、使用者の好みやＴＰＯに応じた装飾を表面に出して楽しく使用できる装飾変化に富んだリング状装身具を提供しようとするものである。
【課題を解決するための手段】
【０００８】
上記課題を解決するために、請求項１に係る考案は、内輪体に外輪体を組み込んで構成したリング状装身具であり、内輪体は、円周に分割した略螺旋状の円周方向に沿って一端に第１直線部と、中間に斜向い部と、他端に第２直線部とを有する左溝部と右溝部を平行に設けて形成し、外輪体は、円周方向を左右に分割した同じ内径部を有する第１外輪体と第２外輪体とからなり、該内径部に前記内輪体の溝部に嵌り込む突起部を設けて形成し、
前記内輪体の左溝部の一端に設けた第１直線部に前記第１外輪体に設けた突起部を、右溝部の他端に設けた第２直線部に前記第２外輪体に設けた突起部を位置させることにより内輪体外周上にて、第１外輪体と第２外輪体とが接した状態となり、そして前記双方の外輪体を互いに円周方向に逆回転させて前記突起部が前記内輪体に設けた斜向い部を沿うように横方向に移動し、左溝部の他端に設けた第２直線部に第１外輪体の突起部を、右溝部の一端に設けた第１直線部に第２外輪体の突起部を位置させることにより内輪体外周上にて第１外輪体と第２外輪体とが間隔を有することを特徴とする。
【０００９】
また、請求項２に係る考案は、前記リング状装身具において、前記内輪体の表面円周上または左溝部の一端に設けた第１直線部と、右溝部の他端に設けた第２直線部の間寸法範囲内にて内輪体の表面円周上に、装飾及び文字またはそのいずれかを施して形成してなるものである。
【００１０】
また、請求項３に係る考案は、請求項２に記載のリング状装身具において、前記外輪体は、第１外輪体と第２外輪体の双方またはいずれかの表面円周上に装飾及び文字またはそのいずれかを施して形成してなるものである。
【００１１】
また、請求項４に係る考案は、 請求項１乃至請求項３のいずれかに記載のリング状装身具において、前記内輪体と前記外輪体の地金色は、同色又は異なる色としたものである。
【考案の効果】
【００１２】
以上述べたように、円周に分割した略螺旋状の円周方向に沿って一端に第１直線部と、中間に斜向い部と、他端に第２直線部とを有する左溝部と右溝部を平行に設けて内輪体を形成し、円周方向を左右に分割した同じ内径部を有する第１外輪体と第２外輪体とからなり、該内径部に前記内輪体の溝部に嵌り込む突起部を設けて外輪体を形成して構成したことにより、円周方向と直交する中心軸方向を左右として螺旋回転にて横方向に移動する機構を設けることができた。
【００１３】
また、上記横方向に移動する機構にて、内輪体の表面円周上に設けた装飾及び愛のメッセージ、恋人、友人同志のイニシアル等の文字が使用者のＴＰＯに応じて、見え隠れさせる装飾変化を得ることができた。
【００１４】
また、第１外輪体と第２外輪体の双方またはいずれかの表面円周上に装飾及び文字またはそのいずれかを施すことにことにより、内輪体との装飾変化を楽しむことが可能となり、趣味性に富んだ商品となった。
【００１５】
さらに、前記内輪体と前記外輪体の地金色を同色又は異なる色としたことにより、装飾性に富んだリング状装身具を提供することができた。
【考案を実施するための最良の形態】
【００１６】
以下、本考案の目的である装飾性を有して美観を何ら損なうことなく、横方向に移動する機構を実現した実施形態は図面を用いて詳細に説明する。
【００１７】
図１は、本考案のリング状装身具を構成する部材のひとつである内輪体１の実施例を示す正面図（ａ）と右側面図（ｂ）であり、円周に３分割した略螺旋状の溝部２、２ａ、２ｂを円周方向に沿って一端に第１直線部２ｅと、中間に斜向い部２ｆと、他端に第２直線部２ｇとを有する左溝部２、２ａ、２ｂと、当該左溝部２、２ａ、２ｂと平行に、一端に第１直線部３ｅと、中間に斜向い部３ｆと、他端に第２直線部３ｇとを有する右溝部３、３ａ、３ｂとを設けて形成した。（３ｂは図示省略）
【００１８】
図２は、本考案のリング状装身具を構成する部材のひとつである外輪体４の第１外輪体５と第２外輪体６とを示す正面図（ａ）と右側面図（ｂ）であり、内径部に内輪体１の左溝部２、２ａ、２ｂと右溝部３、３ａ、３ｂに嵌り込む６個の突起部７〜７ｅを設けて形成した。
【００１９】
当該突起部７〜７ｅを外輪体４に設ける手順として（図示は省略したが図３参照）、予め第１外輪体５と第２外輪体６が接した状態となるように、内輪体１に設けた左溝部２、２ａ、２ｂの一端に設けた各第１直線部２ｅに第１外輪体５に設けた突起部７、７ａ、７ｂが嵌り込む位置に、また、右溝部３、３ａ、３ｂの他端に設けた第２直線部３ｇに第２外輪体６に設けた突起部７ｃ、７ｄ、７ｅが嵌り込む位置に貫通孔を設けた後、内輪体１に当該外輪体４を組み込み、そして、前記貫通孔より突起部７〜７ｅを貫通させ配置しレーザー溶接等で固定すれば突起部７〜７ｅを設けることができる。
【００２０】
図３は、本考案のリング状装身具の外輪体４の第１外輪体５と第２外輪体６とが接した状態を一部切り欠いて断面図をも用いた概念図で示し、突起部７〜７ｅを外輪体４に設ける手順にも前記したが、内輪体１に設けた左溝部２の一端に設けた第１直線部２ｅに第１外輪体５に設けた突起部７が嵌り込こみ、右溝部３の他端に設けた第２直線部３ｇに第２外輪体６に設けた突起部７ｃが嵌り込むことで第１外輪体５と第２外輪体６とが接した状態のリング状装身具となる。
【００２１】
図４は、図３の状態より、第１外輪体５と第２外輪体６を互いに円周方向に逆回転させて突起部７、７ｃが内輪体１に設けた斜向い部２ｆ、３ｆを沿うように横方向に移動させることにより第１外輪体５と第２外輪体６とが間隔を有する状態を一部切り欠いて断面図をも用いた概念図で示し、左溝部２の他端に設けた第２直線部２ｇに第１外輪体５の突起部７を、右溝部３の一端に設けた第１直線部３ｅに第２外輪体６の突起部７ｃを位置させることにより内輪体１の外周上にて第１外輪体５と第２外輪体６とが間隔を有する状態とすることができる。
【００２２】
図５は、本考案のリング状装身具を形成した一実施例を示す図であり、図５（ａ）は、第１外輪体５と第２外輪体６の外周にカット模様９を施し、第１外輪体５と第２外輪体６が接した状態を示す。
【００２３】
図５（ｂ）は、図５（ｂ）の状態より、第１外輪体５と第２外輪体６を互いに円周方向に逆回転して移動させて、第１外輪体５と第２外輪体６とが間隔を有する状態を示すとともに内輪体１の左溝部２の一端に設けた第１直線部２ｅと、右溝部３の他端に設けた第２直線部３ｇの間寸法範囲内に（図３、４参照）、宝石８を、ＬＯＶＥの文字１０の間に施し隠れていた装飾及び文字が現れた状態を示す。
【００２４】
本考案のリング状装身具は、全ての図示はしないが内輪体１の表面円周上に、装飾及び文字またはそのいずれかを施し、また、第１外輪体５と第２外輪体６の双方またはいずれかの表面円周上に装飾及び文字またはそのいずれかを施し、さらに、内輪体１と外輪体４の地金色は、同色又は異なる色を用いることで、使用者の好みやＴＰＯに応じた装飾を表面に出して楽しく使用できる装飾変化に富んだリング状装身具の提供が可能となった。
【図面の簡単な説明】
【００２５】
【図１】リング状装身具の内輪体の実施例を示す正面図と右側面図である。
【図２】リング状装身具の外輪体の実施例を示す正面図と右側面図である。
【図３】リング状装身具の外輪体双方が接した状態を示す概念図である。
【図４】リング状装身具の外輪体双方が横方向に移動した状態を示す概念図である。
【図５】リング状装身具の一実施例を示す図である。
【符号の説明】
【００２６】
１    内輪体  
２    左溝部
２ｅ  第１直線部
２ｆ  斜向い部
２ｇ  第２直線部
３    右溝部
３ｅ  第１直線部
３ｆ  斜向い部
３ｇ  第２直線部
４    外輪体
５    第１外輪体    
６    第２外輪体  
７    突起部
８    宝石
９    カット模様
１０    文字
【図１】
0003116297.tif 000003
【図２】
0003116297.tif 000004
【図３】
0003116297.tif 000005
【図４】
0003116297.tif 000006
【図５】
0003116297.tif 000007